(57)【要約】【課題】  利用者が他人や第三者にメールアドレス等の個人情報を事前に知らせることなく、位置情報に基づいた他人とのメッセージ交換または第三者からの情報提供を受ける。【解決手段】  エリア管理部２３で定義された特定エリアにおいて、コンテンツを提供するコンテンツ提供者に対して、特定エリアに関連付けられたサービスＩＤをサービスＩＤ管理部２７で発行し、利用者がそのエリアに進入することで利用可能なコンテンツ一覧が提示され、利用者が申し込みを行なうと、その特定エリアに存在している期間のみ有効なテンポラリー的な利用者ＩＤを利用者ＩＤ管理部２６で受け、サービスＩＤと利用者ＩＤとを関連付けることで、第三者に個人情報を通知することなくサービスを提供できる。【選択図】      図３
2006146549.tif 000002
【特許請求の範囲】
【請求項１】
利用者の位置情報を取得でき、無線通信ネットワークを利用してデジタルデータを送受信し表示する携帯型通信端末と、当該利用者に対してコンテンツを提供するコンテンツ提供サーバと、前記利用者と前記コンテンツ提供サーバとを関連付けて当該利用者にサービスを提供するサービス提供サーバとから構成され、前記利用者にサービスを提供するサービス提供システムであって、
前記サービス提供サーバは、
当該利用者に係る加入者情報を保有し、当該位置情報に基づいて定義された特定エリアを管理するエリア管理手段と、
当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理手段と、
当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理手段と、を備え、
前記コンテンツ提供サーバは、
エリア毎にサービスの提供期間及び時間などを設定するコンテンツ制御手段を備え、前記携帯型通信端末の利用者が前記特定エリアに入ると、前記コンテンツ提供サーバが当該特定エリアで提供しているサービスを、利用者が当該特定エリア内に存在している期間のみ利用できることを特徴とする時限的サービス提供システム。
【請求項２】
利用者の位置情報を取得でき、無線通信ネットワークを利用してデジタルデータを送受信し表示する携帯型通信端末と、特定エリアに対してコンテンツを提供するコンテンツ提供サーバとを関連付け当該利用者にサービスを提供するサービス提供サーバであって、
当該利用者に係る加入者情報を保有し、当該位置情報に基づいて定義された特定エリアを管理するエリア管理手段を備え、前記携帯型通信端末の利用者が前記特定エリアに進入すると、当該特定エリアで提供しているサービスを、利用者が当該特定エリア内に存在している期間のみ利用できるよう構成されていることを特徴とするサービス提供サーバ。
【請求項３】
請求項２のサービス提供サーバにおいて、
当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理手段を備えることを特徴とするサービス提供サーバ。
【請求項４】
請求項３のサービス提供サーバにおいて、
当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理手段を備えることを特徴とするサービス提供サーバ。
【請求項５】
請求項４記載のサービス提供サーバにおいて、
前記利用者ＩＤと前記サービスＩＤとを関連付けるサービス提供管理手段を備え、当該利用者は前記コンテンツ提供サーバにメールアドレス等の個人情報を知られることなく前記利用者ＩＤのみで当該サービスの提供を受けることを特徴とするサービス提供サーバ。
【請求項６】
請求項５記載のサービス提供サーバにおいて、
前記サービス提供管理手段は、あるエリアに存在する複数利用者に対して同様の方式を適用することで、１つのコンテンツ提供サーバのサービスＩＤに対して複数の利用者を関連付けることができ、あるエリアに存在する不特定多数向けのサービス提供が可能となるよう構成されていることを特徴とするサービス提供サーバ。
【請求項７】
請求項６記載のサービス提供サーバにおいて、
前記サービス提供管理手段は、同じエリアに存在している利用者同士も互いのメールアドレス等の個人情報をお互いに通知することなく、前記コンテンツ提供サーバのサービスＩＤに対して情報を提供することで、利用者同士も互いに情報を交換できるよう構成されていることを特徴とするサービス提供サーバ。
【請求項８】
請求項７記載のサービス提供サーバにおいて、
前記サービス提供管理手段は、当該利用者がサービスが提供されているエリアを外れることで、前記利用者ＩＤと前記サービスＩＤの関連付けを解除し当該利用者へのサービス提供を停止することを特徴とするサービス提供サーバ。
【請求項９】
利用者の位置情報を取得でき、無線通信ネットワークを利用してデジタルデータを送受信し表示する携帯型通信端末と、当該利用者に対してコンテンツを提供するコンテンツ提供サーバと、前記利用者と前記コンテンツ提供サーバとを関連付けて当該利用者にサービスを提供するサービス提供サーバとを用いて、前記利用者にサービスを提供するサービス提供方法であって、
前記サービス提供サーバが、当該利用者に係る加入者情報を保有し、当該位置情報に基づいて定義された特定エリアを管理するエリア管理ステップと、
当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理ステップ手段と、
当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理ステップとを含み、
前記コンテンツ提供サーバが、エリア毎にサービスの提供期間及び時間などを設定するコンテンツ制御ステップを含み、前記携帯型通信端末の利用者が前記特定エリアに入ると、前記コンテンツ提供サーバが当該特定エリアで提供しているサービスを、利用者が当該特定エリア内に存在している期間のみ利用できることを特徴とする時限的サービス提供方法。
【発明の詳細な説明】
【技術分野】
【０００１】
本発明は、位置情報に基づき空間的な広がりを持つエリアに対して、利用者がそのエリアに存在している期間のみ、個人情報を通知することなく第三者からの情報配信やメッセージ交換を利用できる時限的サービス提供システム、サービス提供サーバ、及び時限的サービス提供方法に関する。
【背景技術】
【０００２】
位置情報に基づいた情報配信技術は、既に確立され、例えば、特許文献１には、利用者の登録データと配信条件とを照合して配信情報を配信する候補となる端末を抽出し、抽出された端末の位置情報が指定エリア内であることを判定し、指定エリア内の端末の管理番号と位置情報とからなるリストを作成して情報提供者に通知し、情報提供者は通知されたリストの中から条件を加えて移動情報端末を選択してサーバシステムに送信し、サーバシステムから指定された端末に情報を配信する技術が記載されている。
【０００３】
また、例えば、特許文献２には、コンテンツ作成依頼部は、出力された状況データと、利用者に関連する関連データとに基づいて利用者へ提供するコンテンツを作成させるために、コンテンツ作成装置へコンテンツ作成依頼データを送信し、コンテンツ送信部は、コンテンツを提供する利用者に係る端末装置を決定し、その決定されたコンテンツ作成装置によって作成されたコンテンツに関するコンテンツデータを送信する技術が記載されている。
【特許文献１】特開２００３−２８８５２５号公報
【特許文献２】特開２００４−１５２１４９号公報
【発明の開示】
【発明が解決しようとする課題】
【０００４】
しかしながら、上述した従来の情報配信技術では、他人とのメッセージ交換やコンテンツ提供者からの情報提供を受けるためには、事前にお互いのメールアドレスなどを知っていたり、コンテンツ提供者へメールアドレス等を登録するなど、個人の情報を通知しておく必要があった。またメールアドレス等を変更した場合は、再度通知する必要があった。
また、従来の情報配信技術の場合、個人情報保護法によりコンテンツ提供者は法律に基づき厳密に個人情報を管理する必要があり、情報漏洩の心配と管理費用の投資が新たな負担として発生するという問題があった。
【０００５】
本発明は、上記事情を鑑みてなされたものであって、利用者が他人や第三者にメールアドレス等の個人情報を事前に知らせることなく、位置情報に基づいた他人とのメッセージ交換や第三者からの情報提供を受けることを可能とする時限的サービス提供システム、サービス提供サーバ、及び時限的サービス提供方法を提供することを目的としている。
また、利用者が迷惑メール対策などとしてメールアドレスを変更しても、メッセージ交換や第三者からの情報提供を受けることを可能とする時限的サービス提供システム、サービス提供サーバ、及び時限的サービス提供方法を提供すること目的としている。
【０００６】
また、情報漏洩の心配と管理費用の投資に対処すべく、サービス提供者が管理している利用者の個人情報を利用することで、コンテンツ提供者は容易かつ安価にサービスを提供することを可能とする時限的サービス提供システム、サービス提供サーバ、及び時限的サービス提供方法を提供することを目的としている。
また、利用者にとっても、サービス提供者が個人情報を取り扱うことで、情報漏洩の心配や個人情報を第三者に伝えることが不要になるため、容易にサービスを受けることを可能とする時限的サービス提供システム、サービス提供サーバ、及び時限的サービス提供方法を提供することを目的としている。
【課題を解決するための手段】
【０００７】
上記課題を解決するために、請求項１記載の時限的サービス提供システムは、
利用者の位置情報を取得でき、無線通信ネットワークを利用してデジタルデータを送受信し表示する携帯型通信端末と、当該利用者に対してコンテンツを提供するコンテンツ提供サーバと、前記利用者と前記コンテンツ提供サーバとを関連付けて当該利用者にサービスを提供するサービス提供サーバとから構成され、前記利用者にサービスを提供するサービス提供システムであって、
前記サービス提供サーバは、当該利用者に係る加入者情報を保有し、当該位置情報に基づいて定義された特定エリアを管理するエリア管理手段と、当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理手段と、当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理手段と、を備え、
前記コンテンツ提供サーバは、エリア毎にサービスの提供期間及び時間などを設定するコンテンツ制御手段を備え、前記携帯型通信端末の利用者が前記特定エリアに入ると、前記コンテンツ提供サーバが当該特定エリアで提供しているサービスを、利用者が当該特定エリア内に存在している期間のみ利用できることを特徴とする。この構成によれば、利用者のサービスへの参加・不参加は、ある位置情報に基づく特定エリアへの入退出をトリガーとして行なうエリアに応じた時限的サービスを行なうことができるという効果が得られる。
【０００８】
また、請求項２記載のサービス提供サーバは、
利用者の位置情報を取得でき、無線通信ネットワークを利用してデジタルデータを送受信し表示する携帯型通信端末と、特定エリアに対してコンテンツを提供するコンテンツ提供サーバとを関連付け当該利用者にサービスを提供するサービス提供サーバであって、
当該利用者に係る加入者情報を保有し、当該位置情報に基づいて定義された特定エリアを管理するエリア管理手段を備え、前記携帯型通信端末の利用者が前記特定エリアに進入すると、当該特定エリアで提供しているサービスを、利用者が当該特定エリア内に存在している期間のみ利用できるよう構成されていることを特徴とする。この構成によれば、利用者がある特定エリアに存在している期間のみコンテンツ提供者からサービスの提供を受けることができるという効果が得られる。
【０００９】
また、請求項３記載の発明は、請求項２記載のサービス提供サーバにおいて、
当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理手段を備えることを特徴とする。この構成によれば、コンテンツ提供者は、サービス提供者から発行された一意のサービスＩＤを利用してサービス提供を行なうことができるという効果が得られる。
【００１０】
また、請求項４記載の発明は、請求項３記載のサービス提供サーバにおいて、
当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理手段を備えることを特徴とする。この構成によれば、利用者が利用したいサービスを選択することでサービス提供者は利用者ＩＤを発行し、保有している利用者の加入情報と関連付けることができるという効果が得られる。
【００１１】
また、請求項５記載の発明は、請求項４記載のサービス提供サーバにおいて、
前記利用者ＩＤと前記サービスＩＤとを関連付けるサービス提供管理手段を備え、当該利用者は前記コンテンツ提供サーバにメールアドレス等の個人情報を知られることなく前記利用者ＩＤのみで当該サービスの提供を受けることを特徴とする。この構成によれば、サービス提供者が利用者ＩＤとサービスＩＤとを関連付けることで利用者の個人情報を第三者に通知することなくサービスを利用することができるという効果が得られる。
【００１２】
また、請求項６記載の発明は、請求項５記載のサービス提供サーバにおいて、
前記サービス提供管理手段は、あるエリアに存在する複数利用者に対して同様の方式を適用することで、１つのコンテンツ提供サーバのサービスＩＤに対して複数の利用者を関連付けることができ、あるエリアに存在する不特定多数向けのサービス提供が可能となるよう構成されていることを特徴とする。この構成によれば、あるエリアに存在する不特定多数の利用者へのサービス提供を行なうことができるという効果が得られる。
【００１３】
また、請求項７記載の発明は、請求項６記載のサービス提供サーバにおいて、
前記サービス提供管理手段は、同じエリアに存在している利用者同士も互いのメールアドレス等の個人情報をお互いに通知することなく、前記コンテンツ提供サーバのサービスＩＤに対して情報を提供することで、利用者同士も互いに情報を交換できるよう構成されていることを特徴とする。この構成によれば、利用者同士も互いにメールアドレス等の個人情報を知ることなく情報交換ができるという効果が得られる。
【００１４】
また、請求項８記載の発明は、請求項７記載のサービス提供サーバにおいて、
前記サービス提供管理手段は、当該利用者がサービスが提供されているエリアを外れることで、前記利用者ＩＤと前記サービスＩＤの関連付けを解除し当該利用者へのサービス提供を停止することを特徴とする。この構成によれば、サービスに応じて提供場所や時間が制御可能であるという効果が得られる。
【００１５】
また、請求項９記載の時限的サービス提供方法は、
利用者の位置情報を取得でき、無線通信ネットワークを利用してデジタルデータを送受信し表示する携帯型通信端末と、当該利用者に対してコンテンツを提供するコンテンツ提供サーバと、前記利用者と前記コンテンツ提供サーバとを関連付けて当該利用者にサービスを提供するサービス提供サーバとを用いて、前記利用者にサービスを提供するサービス提供方法であって、
前記サービス提供サーバが、当該利用者に係る加入者情報を保有し、当該位置情報に基づいて定義された特定エリアを管理するエリア管理ステップと、
当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理するサービスＩＤ管理ステップと、
当該利用者が前記所定のエリアに入ることでそのエリアで提供されているサービス一覧が表示され、当該利用者があるサービスを選択しサービスを利用することに許諾すると、サービス提供者は当該利用者に係る加入者情報と関連付けられた利用者ＩＤを発行し管理する利用者ＩＤ管理ステップと、
前記コンテンツ提供サーバが、エリア毎にサービスの提供期間及び時間などを設定するコンテンツ制御ステップと、を含み、前記前記携帯型通信端末の利用者が前記特定エリアに入ると、前記コンテンツ提供サーバが当該特定エリアで提供しているサービスを、利用者が当該特定エリア内に存在している期間のみ利用できることを特徴とする。この構成によれば、利用者のサービスへの参加・不参加は、ある位置情報に基づく特定エリアへの入退出をトリガーとして行なうエリアに応じた時限的サービスを行なうことができるという効果が得られる。
【００１６】
以上、説明したように、本発明においては、利用者はある特定エリア内でのサービス利用時にメールアドレスなどの個人の情報と関連付けられたテンポラリーＩＤの発行を受け、このテンポラリーＩＤを媒介としてサービスを利用する。
【発明の効果】
【００１７】
本発明の構成によれば、利用者は、携帯型通信端末を利用し、サービス提供エリア内に入っている期間のみ限定的にサービスを受けることができ、また、個人情報などを第三者に通知することなくそのサービスを利用することができるため、安心してサービスを受けることが可能となる。
さらに、コンテンツ提供者は、個人情報を取り扱う必要がないため、個人情報保護法などの情報漏洩対策などが不要となり、サービス提供への参入障壁が低くなることで、大手のみならず中小企業も安価にコンテンツ提供が可能となる。
【発明を実施するための最良の形態】
【００１８】
以下、図面を参照して、本発明の実施形態に係る時限的サービス提供システムについて詳細に説明する。
図１は、本発明の実施形態に係る時限的サービス提供システムの全体構成を示すブロック図である。
同図に示すように、このシステムは、利用者の位置情報を取得でき、無線通信ネットワークを利用してデジタルデータの送受信、および当該デジタルデータを表示することができる携帯型通信端末１と、あるエリア内に限定して利用者とコンテンツ提供者とを関連付けてサービスの提供を可能とするサービス提供サーバ２と、利用者の電話番号やメールアドレスなどの加入者情報を保有している加入者データベース（ＤＢ）３と、利用者へ実際のコンテンツを提供するコンテンツ提供サーバ４とからなる。携帯型通信端末１とサービス提供サーバ２、およびサービス提供サーバ２とコンテンツ提供サーバ４は、それぞれ相互に接続されている。また、加入者情報データベース３はサービス提供サーバ２と接続されている。
【００１９】
サービス提供サーバ２は、当該利用者のメールアドレスや位置情報を含む加入者情報を保有し、当該位置情報に基づいて定義された特定エリアを管理する。また、当該利用者がサービスの提供を申し込む際、前記コンテンツ提供サーバが提供したいサービスを所定のエリアに対して行なうように当該エリアに一意に関連付けられたサービスＩＤを発行し、当該サービスＩＤのみに対してサービスの提供を行なうよう管理する。さらに、当該利用者が所定のエリアに入ることでそのエリアで提供されているサービス一覧を表示し、当該利用者があるサービスを選択しサービスを利用することに許諾すると、当該利用者のメールアドレスを含む加入者情報と関連付けられた利用者ＩＤを発行し管理する。
コンテンツ提供サーバ４は、携帯型通信端末１の利用者が特定エリアに入ると、当該特定エリアで提供しているメッセージ交換または情報配信サービスを、利用者が当該特定エリア内に存在している期間のみ利用できるようにする。
【００２０】
図２は、本発明の実施形態に係る時限的サービス提供システムにおける携帯型通信端末の機能構成を示すブロック図である。
同図に示すように、携帯型通信端末１は、位置情報受信部１１，通信部１２，端末制御部１３，表示部１４，入力部１５，記憶部１６からなる。
位置情報受信部１１は、ＧＰＳの緯度経度や無線通信ネットワークの基地局や無線タグの設置場所などから位置情報を取得することができ、取得した位置情報を端末制御部１３，通信部１２を介してサービス提供サーバ２に送信する。サービス提供サーバ２は、受信した位置情報からエリア判定を行い、利用可能なサービスがあれば、サービス一覧データを通信部１２に送信し、端末制御部１３を介して記憶部１６に格納する。
【００２１】
表示部１４は、端末制御部１３によって記憶部１６に格納されているサービス一覧データを読出したとき、その内容を表示して確認することができる。
入力部１５は、利用したいサービスを選択し、端末制御部１３を介して通信部１２からサービス提供サーバ２に送信することで当該サービスを利用することができる。
【００２２】
図３は、本発明の実施形態に係る時限的サービス提供システムにおけるサービス提供サーバの機能構成および加入者情報データベースを示すブロック図である。
同図に示すように、サービス提供サーバ２は、表示部２１，入力部２２，エリア管理部２３，通信部２４，サービス提供管理部２５，利用者ＩＤ管理部２６，サービスＩＤ管理部２７，コンテンツ提供者データベース（ＤＢ）２８とからなる。加入者情報データベース（ＤＢ）は、利用者ＩＤ管理部２６に接続されている。
エリア管理部２３は、ＧＰＳの緯度経度や無線通信ネットワークの基地局や無線タグの設置場所などから得られる位置情報を中心とした空間的大きさを持つある特定エリアを定義し、情報通信端末１の現在位置を管理する。
【００２３】
コンテンツ提供者がエリア管理部２３で定義されている特定エリアにてサービス提供を行ないたい場合、サービス提供者は、サービスＩＤ管理部２７にてユニークなサービスＩＤを発行し、コンテンツ提供者のＵＲＬや期間などの情報は、コンテンツ提供者データベース２８にそのサービスＩＤと関連付けて格納する。
通信部２４は、携帯型通信端末１から送信された位置情報を受信する。エリア管理部２３において受信した位置情報がある特定エリア内であれば、その特定エリアで提供可能なサービスが存在するかサービスＩＤ管理部２７に問い合わせを行ない、提供可能なサービスが存在していた場合、サービス一覧を携帯型通信端末１に送信する。
【００２４】
利用者ＩＤ管理部２６は、通信部２４において、携帯型通信端末１から送信されたサービス提供の利用許諾を受信した場合、加入者情報データベース３からメールアドレスなどのサービス提供者が管理している利用者の加入者情報を検索し、ユニークな利用者ＩＤを発行する。
サービス提供管理部２５は、上記の利用者ＩＤとサービスＩＤを関連付けて管理することで、利用者からのコンテンツ取得要求に対してサービスＩＤからコンテンツ提供サーバ４を特定する。コンテンツ提供サーバ４からの応答は利用者ＩＤへ行い、サービス提供管理２５において利用者ＩＤ管理部２６から利用者のメールアドレス等を特定する。
【００２５】
図４は、本発明の実施形態に係る時限的サービス提供システムにおけるコンテンツ提供サーバの機能構成を示すブロック図である。
同図に示すように、コンテンツ提供サーバ４は、ＷＷＷサーバ４１，コンテンツ制御部４２，表示部４３，入力部４４，コンテンツ４５からなる。
ＷＷＷサーバ４１は、サービス提供サーバ２からのコンテンツ表示要求に対してコンテンツ制御部４２がコンテンツ４５に対してコンテンツ検索を行い、該当するコンテンツがあった場合、ＷＷＷサーバ４１からサービス提供サーバ２にコンテンツ４５を返信する。
【００２６】
図５は、本発明の実施形態に係る時限的サービスシステムにおけるサービス提供サーバ内の各管理部の相関関係を示す図である。
同図に示すように、図５（ａ）はエリア管理部２３、図５（ｂ）はサービスＩＤ管理部２７、図５（ｃ）は利用者ＩＤ管理部２６、図５（ｄ）はサービス提供管理部２５を示す。
【００２７】
図５（ａ）に示すように、エリア管理部２３は、携帯型通信端末１から送信された位置情報を受信すると、受信した位置情報が管理するエリアに含まれているかを判定し、そのエリア内に含まれていれば、提供されているサービスがあるかどうかをサービスＩＤ管理部２７に問い合わせを行なう。例えば、エリア名を、東京ドーム，新宿駅，ディズニーランドとする。また、この例では、東京ドームの一塁側スタンドのエリアＩＤをＡ００１、ライトスタンドのエリアＩＤをＡ００２、三塁側スタンドのエリアＩＤをＡ００３、レフトスタンドのエリアＩＤをＡ００４、バックスタンドのエリアＩＤをＡ００５とし、新宿駅の東口のエリアＩＤをＳ００１，西口のエリアＩＤをＳ００２とし、ディズニーランドの正面入口，シンデレラ城などのエリアＩＤ（図示せず）を予め設定しておく。
【００２８】
図５（ｂ）に示すように、サービスＩＤ管理部２７は、エリア管理部２３から問い合わせを受けたエリアで提供可能なサービスがあるかを判定し、提供可能なサービスが存在すればそのサービスＩＤをサービス提供管理部２５に引き渡す。例えば、コンテンツ提供者を、ＣＰ1，ＣＰ2，ＣＰ3，ＣＰ4，ＣＰ5とすると、それぞれ上述した問い合わせを受けたエリアＩＤをＡ００１，Ａ００２，Ａ００２，Ａ００２，Ａ００１であった場合、このエリア内で提供可能なサービスＩＤを、例えば、それぞれエリアＡ００１：ＣＰ1，エリアＡ００２：ＣＰ2，エリアＡ００２：ＣＰ3，エリアＡ００２：ＣＰ4，エリアＡ００１：ＣＰ5としている。このサービスＩＤをそのまま、サービス提供管理部２５に引渡す。
【００２９】
一方、図５（ｃ）に示すように、利用者がサービスの利用を許諾すると、携帯型通信端末１から利用許諾情報が送信され、利用者ＩＤ管理部２６が、メールアドレス，電話番号，氏名などを格納している加入者情報ＤＢ３から必要となる利用者の加入者情報ＩＤとエリアＩＤとを関連付けてユニークな利用者ＩＤを割り当てる。例えば、加入者情報ＩＤが、１２３４００１，９６５０００９，５２３９８７，２５６１４０１，３８７９５２７とし、それぞれのエリアＩＤがＡ００１，Ａ００１，Ａ００２，Ｓ００１，Ｓ００１とした場合、これらを関連付けて、＊＊＊＊＊＊１，＊＊＊＊＊＊２，＊＊＊＊＊＊３，＊＊＊＊＊＊４，＊＊＊＊＊＊５などと利用者ＩＤを割り当てる。
【００３０】
ここで、利用者の位置情報は、携帯型通信端末１から随時受信することで、エリア管理部２３が管理しているエリア内かどうかを監視し、その管理エリア内から外れそうになると、サービス管理部２３は携帯型通信端末１へエリア外になりそうであることを通知し、エリア外になると現在受けているサービスが利用できなくなることを通知し、サービス提供管理部２５と利用者ＩＤ管理部２６とから該当する利用者ＩＤを削除する。
【００３１】
次に、図５（ｄ）に示すように、サービス提供管理部２５は、あるエリアにサービスが複数ある場合は、そのサービス（コンテンツ）の一覧をユーザに提供する。そして、ユーザが利用許諾したサービスのみが利用者ＩＤと共に管理される。この際、利用者ＩＤ管理部２６からの利用者ＩＤと、サービスＩＤ管理部２７からのサービスＩＤとを関連付けて、例えば、サービスＩＤがエリアＡ００１：ＣＰ1で利用者ＩＤが＊＊＊＊＊＊１，＊＊＊＊＊＊２、サービスＩＤがエリアＡ００２：ＣＰ4で利用者ＩＤが＊＊＊＊＊＊３、サービスＩＤがエリアＳ００１：ＣＰ5で利用者ＩＤが＊＊＊＊＊＊５の場合のサービスを右欄に、例えば、サービス利用情報等と記載しておく。ここで、エリアＡ００２には＊＊＊＊＊＊３のユーザが存在し、そのユーザには図５（ｂ）のエリアＡ００２のＣＰ３およびＣＰ4のサービス一覧が提供されたが、実際にはユーザ許諾したサービスＣＰ4が図５（ｄ）において管理される。このようにして、サービス提供管理部２５は、その利用者ＩＤとサービスＩＤとを関連付けて管理を行なうことで、利用者とコンテンツ提供者はそれぞれのＩＤを通してサービスの享受が可能となる。
【００３２】
図６は、本発明の実施形態に係る時限的サービス提供システムにおけるサービス提供方法を示すフローチャートである。
サービス提供の方法は、まず、携帯通信端末１の位置情報を受信し（ステップＳ０１）、携帯通信端末１の存在しているエリアの比較を行なう（ステップＳ０２）。管理エリア内である場合は、サービスはあるか否かを判別する（ステップＳ０３）。管理エリア外である場合は、ステップＳ０１に戻り、再度、位置情報を受信する。ステップＳ０３において、サービスがある場合は、そのサービス情報を携帯型通信端末１へ送信し（ステップＳ０４）、利用者の利用許諾を受信する（ステップＳ０５）。次に、加入者ＤＢから利用者情報を取得し、利用者ＩＤを発行し（ステップＳ０６）、利用者ＩＤとサービスＩＤとを関連付け（ステップＳ０７）、サービスを提供する（ステップＳ０８）。また、上述のステップＳ０３において、サービスがなかった場合は、ステップＳ０１に戻り、再度、位置情報を受信する。利用者ＩＤとサービスＩＤとは関連付けて管理されているので、利用者，コンテンツ提供者共にそれぞれのＩＤを用いることができる。
【００３３】
図７は、本発明の実施形態に係る時限的サービス提供システムにおけるサービス利用申し込み方法を示すシーケンス図である。ここで、コンテンツ提供サーバ４はＣＰ1・・・ＣＰnと複数存在し、携帯型通信端末１も携帯型通信端末Ａ，Ｂ，・・・ｎと複数存在し、エリア管理部２３はサービス提供サーバ２とは独立して存在するものとする（以下、図８〜図１０においても同様）。
【００３４】
サービス利用の申し込みをする場合は、まず、コンテンツ提供サーバＣＰ1・・・ＣＰnがサービス提供サーバ２に対してサービスの申し込みを行なうと（ステップＳ７１）、サービス提供サーバ２は、エリア管理部２３に対してエリアの問い合わせを行なう（ステップＳ７２）。これに応答してエリア管理部２３はサービス提供サーバ２に対してエリアＩＤ（例えば、エリアａ）を通知し（ステップＳ７３）、サービス提供サーバ２においてサービス登録（例えば、エリアａ，ＣＰ1）を行なう（ステップＳ７４）。その後、サービス提供サーバ２は、このサービスＩＤ（例えば、エリアａ，ＣＰ1）をコンテンツ提供サーバ４に通知する（ステップＳ７５）。
【００３５】
一方、携帯型通信端末Ａは、エリア管理部５に対してエリア進入通知を行い（ステップＳ７６）、エリア管理部２３は、サービス提供サーバ２に対して当該エリアのエリアＩＤ（例えば、エリアａ）を通知する（ステップＳ７７）。サービス提供サーバ２においてはエリアａで利用可能なＣＰを検索し（ステップＳ７８）、エリアａで利用可能なＣＰを一覧にして携帯型通信端末１に通知する（ステップＳ７９）。携帯型通信端末１では、複数のＣＰからいくつかのＣＰを選択してサービス提供サーバ２に対してサービス利用の申し込み（例えば、利用者Ａ，ＣＰ1，ＣＰ3）を行なう（ステップＳ８０）。次に、サービス提供サーバ２では、携帯型通信端末１に対して利用者ＩＤ（例えば、利用者ＩＤ−Ａ）を通知する（ステップＳ８１）。利用者ＩＤ―Ａは、例えば、「エリアａ加入者ＩＤ」からなるテンポラリー的な文字列である。その後、サービス提供サーバ２は、選択されたコンテンツ提供サーバ４に対して利用者ＩＤ（利用者ＩＤ−Ａ）を通知する（ステップＳ８２）。
【００３６】
図８は、本発明の実施形態に係る時限的サービス提供システムにおけるサービス利用方法（情報提供サービス系）を示すシーケンス図である。
情報提供サービス系によってサービスを利用する場合は、まず、コンテンツ提供サーバＣＰ1およびコンテンツ提供サーバＣＰ3は、サービス提供サーバ２に対してメニューを提供する（ステップＳ８５）。サービス提供サーバ２では、携帯型通信端末Ａに対して選択したＣＰのメニュー（例えば、ＣＰ1のメニューはメニューａ，ＣＰ3のメニューはメニューｂとする）を通知する（ステップＳ８６）。携帯型通信端末Ａでは、通知されたメニューのなかから所望のコンテンツ（例えば、ＣＰ1，コンテンツａ０１）を選択してサービス提供サーバ２に通知する（ステップＳ８７）。サービス提供サーバ２は、コンテンツ提供サーバＣＰ1に対して利用者ＩＤをＡとしてコンテンツａ０１を要求する（ステップＳ８８）。これに対して、コンテンツ提供サーバＣＰ1はサービス提供サーバ２にコンテンツａ０１を送信し（ステップＳ８９）、コンテンツ提供サーバ２から携帯型通信端末Ａに対してコンテンツが配信される（ステップＳ９０）。
【００３７】
図９は、本発明の実施形態に係る時限的サービス提供システムにおけるサービス利用方法（メッセージ交換系）を示すシーケンス図である。
メッセージ交換系によってサービスを利用する場合は、まず、コンテンツ提供サーバＣＰ1は、サービス提供サーバ２に対してメニューを提供する（ステップＳ９１）。サービス提供サーバ２は、ＣＰ1からのメニュー（例えば、ＣＰ1，メニューａ）を携帯型通信端末Ａおよび携帯型通信端末Ｂに対して通知する（ステップＳ９２）。メニューを受け取った携帯型通信端末ＡおよびＢは、それぞれ、メッセージサービス（例えば、ＣＰ1からのコンテンツａ０２の場合、ＣＰ1，コンテンツａ０２）を選択し、サービス提供サーバ２に通知する（ステップＳ９３）。サービス提供サーバ２は、コンテンツ提供サーバＣＰ1に対してこのメッッセージサービス（例えば、利用者ＩＤ−Ａ，ａ０２など）を登録する（ステップＳ９４）。その後、携帯型通信端末Ａからサービス提供サーバ２に対してメッセージ送信要求があった場合（ステップＳ９５）、サービス提供サーバ２はコンテンツ提供サーバＣＰ1に対して当該メッセージ送信要求を通知し（ステップＳ９６）、コンテンツ提供サーバＣＰ1はサービス提供サーバ２を介して携帯型通信端末Ｂに対してメッセージ（例えば、利用者ＩＤ−Ｂ・・・ｎ）を送信する（ステップＳ９７，Ｓ９８）。
【００３８】
図１０は、本発明の実施形態に係る時限的サービス提供システムにおけるサービス利用中止方法を示すシーケンス図である。
サービスを中止する場合は、まず、携帯型通信端末Ａからエリア管理部２３に対してエリア退出通知を行なう（ステップＳ１０１）。エリア管理部２３は、サービス提供サーバ２に対してエリアＩＤ（例えば、エリアａ）を通知する（ステップＳ１０２）。サービス提供サーバ２では、エリアａで利用中のコンテンツ提供サーバＣＰ1・・・ＣＰnを検索し（ステップＳ１０３）、携帯型通信端末Ａに対してサービスエリアａで利用中のＣＰを一覧にして通知することにより、サービス利用中止の確認を行なう（ステップＳ１０４）。これに対して、携帯型通信端末Ａはサービス利用中止がＯＫである旨（例えば、利用者Ａ，ＣＰ1，ＣＰ3）をサービス提供サーバ２に対して通知し（ステップＳ１０５）、サービス提供サーバ２からコンテンツ提供サーバＣＰ1・・・ＣＰnに対して利用者中止の通知（例えば、利用者ＩＤ−Ａ）を行なう（ステップＳ１０６）。サービス提供サーバ２は、その後、当該利用者ＩＤを削除する（ステップＳ１０７）。
【００３９】
以上説明したように、本発明によれば、利用者の携帯型通信端末が、あるエリアに入ることで、そのエリアで提供されているサービス（コンテンツ）の一覧が表示され、利用者がサービスを選択することで、サービス提供者に個人情報を通知することなくエリア内に入っている間のみそのサービスが利用できる。
また、本発明によれば、利用者が他人や第三者にメールアドレス等の個人情報を事前に知らせることなく、位置情報に基づいた他人とのメッセージ交換や第三者からの情報提供を受けることができる。
【００４０】
なお、図６のフローチャートおよび図７〜図１０に示す処理を実行するにあたっては、いずれも、各装置内のＲＯＭに予め格納されている制御プログラムを実行するものであるが、これに限らず、これらの手順を示したプログラムが記録された記憶媒体から、そのプログラムをＲＡＭに組み込んで実行するようにしても良い。あるいは、そのプログラムをネットワークから取得しても良い。
【００４１】
以上、本発明をその実施形態によって説明してきたが、本発明は、この実施形態に限定されることなく、本発明の趣旨を逸脱しない範囲で種々の変更が可能である。例えば、本実施形態においては、利用者が携帯型通信端末１を使用してサービスを取得するよう構成したが、これに限定されず、車載型通信端末など、全ての移動通信端末を使用することができる。
また、本実施形態においては、加入者情報データベース３は、サービス提供サーバ２とは別に設けたが、これに限定されず、サービス提供サーバ２内に設けることもできるし、コンテンツ提供サーバ４が予め所有するよう構成することもできる。
【図面の簡単な説明】
【００４２】
【図１】本発明の実施形態に係る時限的サービス提供システムの全体構成を示すブロック図である。
【図２】本発明の実施形態に係る時限的サービス提供システムにおける携帯型通信端末の機能構成を示すブロック図である。
【図３】本発明の実施形態に係る時限的サービス提供システムにおけるサービス提供サーバの機能構成および加入者情報データベースを示すブロック図である。
【図４】本発明の実施形態に係る時限的サービス提供システムにおけるコンテンツ提供サーバの機能構成を示すブロック図である。
【図５】本発明の実施形態に係る時限的サービス提供システムにおけるサービス提供サーバ内の各管理部の相関関係を示す図である。
【図６】本発明の実施形態に係る時限的サービス提供システムにおけるサービス提供方法を示すフローチャートである。
【図７】本発明の実施形態に係る時限的サービス提供システムにおけるサービス利用申し込み方法を示すシーケンス図である。
【図８】本発明の実施形態に係る時限的サービス提供システムにおけるサービス利用方法（情報提供サービス系）を示すシーケンス図である。
【図９】本発明の実施形態に係る時限的サービス提供システムにおけるサービス利用方法（メッセージ交換系）を示すシーケンス図である。
【図１０】本発明の実施形態に係る時限的サービス提供システムにおけるサービス利用中止方法を示すシーケンス図である。
【符号の説明】
【００４３】
１…携帯型通信端末、２…サービス提供サーバ、３…加入者情報データベース（ＤＢ）、４…コンテンツ提供サーバ、１１…位置情報受信部、１２…通信部、１３…端末制御部、１４…表示部、１５…入力部、１６…記憶部、２１…表示部、２２…入力部、２３…エリア管理部、２４…通信部、２５…サービス提供管理部、２６…利用者ＩＤ管理部、２７…サービスＩＤ管理部、２８…コンテンツ提供者データベース（ＤＢ）、４１…ＷＷＷサーバ、４２…コンテンツ制御部、４３…表示部、４４…入力部、４５…コンテンツ
【図１】
2006146549.tif 000003
【図２】
2006146549.tif 000004
【図３】
2006146549.tif 000005
【図４】
2006146549.tif 000006
【図５】
2006146549.tif 000007
【図６】
2006146549.tif 000008
【図７】
2006146549.tif 000009
【図８】
2006146549.tif 000010
【図９】
2006146549.tif 000011
【図１０】
2006146549.tif 000012